(57)【要約】【課題】レジューム機能とオートクリア機能との双方の機能を排他的に有効化できるようにすることを目的とする。【解決手段】保存しておいた設定情報に基づき設定を再現させるレジューム手段と、設定情報をクリアするオートクリア手段と、レジューム手段とオートクリア手段との何れの手段を有効にするかを切り替える切り替え手段と、を有することによって課題を解決する。【選択図】図１０
2014236417.tif 000002
【特許請求の範囲】
【請求項１】
保存しておいた設定情報に基づき設定を再現させるレジューム手段と、
設定情報をクリアするオートクリア手段と、
前記レジューム手段と前記オートクリア手段との何れの手段を有効にするかを切り替える切り替え手段と、
を有する画像処理装置。
【請求項２】
前記レジューム手段を有効にするか否かを設定する設定手段を更に有し、
前記切り替え手段は、前記設定手段により前記レジューム手段が有効にされている場合、前記レジューム手段を有効にし、前記設定手段により前記レジューム手段が有効にされていない場合、前記オートクリア手段を有効にする請求項１記載の画像処理装置。
【請求項３】
前記設定手段は、複数のアプリケーションごとに、各アプリケーションに係る保存しておいた設定情報に基づき設定を再現させるレジューム手段を有効にするか否かを設定し、
前記切り替え手段は、前記設定手段によるアプリケーションごとの前記レジューム手段の有効又は無効に応じて、アプリケーションごとに前記レジューム手段と前記オートクリア手段との何れの手段を有効にするかを切り替える請求項２記載の画像処理装置。
【請求項４】
前記オートクリア手段を有効にするか否かを設定する設定手段を更に有し、
前記切り替え手段は、前記設定手段により前記オートクリア手段が有効にされている場合、前記オートクリア手段を有効にし、前記設定手段により前記オートクリア手段が有効にされていない場合、前記レジューム手段を有効にする請求項１記載の画像処理装置。
【請求項５】
前記設定手段は、複数のアプリケーションごとに、各アプリケーションに係る保存しておいた設定情報に基づき設定を再現させるオートクリア手段を有効にするか否かを設定し、
前記切り替え手段は、前記設定手段によるアプリケーションごとの前記オートクリア手段の有効又は無効に応じて、アプリケーションごとに前記レジューム手段と前記オートクリア手段との何れの手段を有効にするかを切り替える請求項４記載の画像処理装置。
【請求項６】
アプリケーション毎に設定された設定情報を保存する保存手段を更に有し、
前記レジューム手段は、指定されたアプリケーションに対応する設定情報に基づき設定を再現させる請求項１乃至５何れか１項記載の画像処理装置。
【請求項７】
画像処理装置が実行する情報処理方法であって、
保存しておいた設定情報に基づき設定を再現させるレジュームステップと、
設定情報をクリアするオートクリアステップと、
前記レジュームステップと前記オートクリアステップとの何れのステップの処理を有効にするかを切り替える切り替えステップと、
を含む情報処理方法。
【請求項８】
コンピュータを、
保存しておいた設定情報に基づき設定を再現させるレジューム手段と、
設定情報をクリアするオートクリア手段と、
前記レジューム手段と前記オートクリア手段との何れの手段を有効にするかを切り替える切り替え手段と、
して機能させるためのプログラム。
【発明の詳細な説明】
【技術分野】
【０００１】
本発明は、画像処理装置、情報処理方法及びプログラムに関する。
【背景技術】
【０００２】
最近の多機能画像処理装置はますます機能が増加され、それに伴い各機能を調整するための設定項目も増加し、設定するための操作も増加している。同様の作業を繰り返す場合、その都度同じ設定を繰り返す必要があり、ユーザに不便を与えていた。
設定状態を登録し、呼び出すことのできるカスタムメニュー機能があるが、わざわざ登録するという作業を必要とするため、画像処理装置に不慣れな利用者にとってはカスタマイズを施すことが難しい。
一般的には利用者は前回と同様の設定で作業を行うケースが多い。したがって、より簡易な手段として自動的に前回操作の最後の設定状態を保存することで、利用者の登録作業を不要とし、利用者が再操作する際に前回保存しておいた設定状態を再現させるレジューム機能が提案されている（参考文献１）。
一方、一定時間操作が行われなかった場合に、ユーザインターフェイス画面を初期化して設定状態をクリアする機能（オートクリア機能）がある。オートクリア機能は、以下の様な機能である。即ち、前使用者の設定状態を不用意に引き継いでしまって現使用者の想定していなかった設定で実行してしまうことやＦＡＸやメールの宛先や個人サーバ等のセキュリティ上他の使用者に開示してはいけない設定内容が見えてしまうこと等を防ぐための機能である。
【先行技術文献】
【特許文献】
【０００３】
【特許文献１】特開２００８−２７３１２６号公報
【発明の概要】
【発明が解決しようとする課題】
【０００４】
レジューム機能では前回の設定内容が呼び出せ、オートクリア機能は自動的に設定内容を初期化することを特徴としており、何れの機能も利用者の利便性を考慮した処理であるが、それぞれの機能は相反するところがある。どちらの機能に利便性を感じるかは利用者やその利用者の環境による。
【０００５】
本発明はこのような問題点に鑑みなされたもので、レジューム機能とオートクリア機能との双方の機能を排他的に有効化できるようにし、利用者の利便性をより向上させることを目的とする。
【課題を解決するための手段】
【０００６】
そこで、本発明の画像処理装置は、保存しておいた設定情報に基づき設定を再現させるレジューム手段と、設定情報をクリアするオートクリア手段と、前記レジューム手段と前記オートクリア手段との何れの手段を有効にするかを切り替える切り替え手段と、を有する。
【発明の効果】
【０００７】
本発明によれば、レジューム機能とオートクリア機能との双方の機能を排他的に有効化できるようにし、利用者の利便性をより向上させることができる。
【図面の簡単な説明】
【０００８】
【図１】画像処理装置の一例である多機能周辺機器の全体構成の一例を示す図である。
【図２】コントローラのハードウエア構成の一例を示す図である。
【図３】画像処理装置のソフトウェア構成の一例を示す図である。
【図４】操作部の一例を示す図である。
【図５】オートクリア機能について説明するための図である。
【図６】ファンクションを実行するための各種詳細設定を行うための画面を説明するための図（その１）である。
【図７】ファンクションを実行するための各種詳細設定を行うための画面を説明するための図（その２）である。
【図８】画像処理装置の設定を再現する処理についてのフローチャートである。
【図９】レジューム機能とオートクリア機能との切り替え設定について説明するための図である。
【図１０】レジューム機能とオートクリア機能との切り替え設定をされた場合の情報処理の一例を示すフローチャートである。
【図１１】ファンクション単位にレジューム機能とオートクリア機能との切り替え設定を可能とする画面の一例を示す図である。
【発明を実施するための形態】
【０００９】
以下、本発明の実施形態について図面に基づいて説明する。
【００１０】
＜実施形態１＞
図１は、画像処理装置の一例である多機能周辺機器（ＭＦＰ：Ｍｕｌｔｉ−Ｆｕｎｃｔｉｏｎ  Ｐｅｒｉｐｈｅｒａｌ）の全体構成の一例を示す図である。
コントローラ１０１は、多機能周辺機器を制御するためのコントローラであり、後述する図２に示すハードウエア構成を有している。スキャナ１０２は、コントローラ１０１によって制御されている。プリンタエンジン１０３は、コントローラ１０１によって制御されている。
プリンタエンジン１０３は、フィニッシャ１０４に接続されている。フィニッシャ１０４は、プリンタエンジン１０３から出力された複数の記録媒体（例えば、紙）をまとめてステイプル（ホッチキス）処理することが可能となっている。
フィニッシャ１０４もコントローラ１０１によって制御されている。ネットワークインターフェイス１０５は、コントローラ１０１に対して同インターフェイスを通した双方向通信を提供しており、ネットワーク越しにパソコン１０７との接続が可能となっている。
操作部１０６は、ＬＣＤディスプレイとキーボードとから構成されており、コントローラ１０１からの情報表示を行うと共にユーザからの指示をコントローラ１０１に伝える。
また、利用者は、Ｎｅｔｗｏｒｋのどのインターフェイスからでも、多機能周辺機器の全ての機能を使用可能である。
【００１１】
図２は、コントローラ１０１のハードウエア構成の一例を示す図である。
コントローラ１０１の内部では、ＣＰＵ２０１がバス２０９を介して、メモリ２０２、操作部１０６を構成する液晶ディスプレイ２０３及びキーボード２０４、ＲＯＭ２１０、ＤＩＳＫ２１１に接続されている。
各種プログラム及びデータは、ハードディスクやフレキシブルディスク等のＤＩＳＫ２１１（記憶媒体）に記憶されており、必要に応じて順次、メモリ２０２に読み出されてＣＰＵ２０１で実行される。このＤＩＳＫ２１１は、ＭＦＰに着脱可能であっても、ＭＦＰに内蔵されたものでもよい。
更に、プログラムは、ネットワークを介して他のＭＦＰからダウンロードされてＤＩＳＫ２１１に記憶される構成でもよい。
また、メモリにはＤＲＡＭのような不揮発メモリ、ＳＲＡＭのような揮発メモリの種類がある。メモリ２０２は双方の機能を備えていてもよいし、揮発メモリの機能をメモリ２０２が受け持ち、不揮発メモリの機能をＤＩＳＫ２１１が受け持つような構成でもよい。
またメモリ２０２は、取り外し可能なメモリメディアでもよい。
液晶ディスプレイ２０３、キーボード２０４は図１に示す操作部１０６を構成するものである。
【００１２】
ＣＰＵ２０１が液晶ディスプレイ２０３にデータを書き込むことにより表示を行い、ＣＰＵ２０１がキーボード２０４若しくはタッチパネルになっている液晶ディスプレイ２０３からデータを読み出すことにより、ユーザからの指示を入力する。なお、以下では液晶ディスプレイ２０３を操作部２０３とも記す。
入力された情報はメモリ２０２、ＤＩＳＫ２１１、ＣＰＵ２０１の何れかに転送、蓄積され、様々な処理に使用される。
また、バス２０９には、ネットワークインターフェイス２０５が接続されており、図１に示すネットワークインターフェイス１０５に対応する。ＣＰＵ２０１がインターフェイスからデータを読み込み又は書き込むことによりインターフェイスを使用した通信を行う。
更に、バス２０９には、プリンタ２０６、フィニッシャ２０７、スキャナ２０８が接続されている。
これらは、図１に示すプリンタエンジン１０３、フィニッシャ１０４、スキャナ１０２に対応するものであり、ＣＰＵ２０１がこれらのエンジンに対してデータの読み書きを行うことによりプリント・スキャン等のエンジン動作及び各種ステータス取得を行う。
【００１３】
画像データはスキャナ１０２若しくはネットワークインターフェイス１０５からコントローラ１０１内のＤＩＳＫ２１１、メモリ２０２に保存することが可能である。
また、取り外し可能なメモリ２０２に予め画像データを蓄積しておき、そのメモリをコントローラ１０１に取り付けることによって取り込むことも可能である。
ＤＩＳＫ２１１に蓄積されている画像データはメモリ２０２に移動若しくはコピーすることが可能になっており、操作部１０６から指示された内容によってメモリ上の画像データに様々な付加画像（例えばページ印字の数字部分）を合成することができる。
なお、プリンタ２０６、フィニッシャ２０７、スキャナ２０８は、ＭＦＰの内部ではなく、ネットワーク上にそれぞれ単体の周辺機器として存在し、それをＭＦＰのコントローラ１０１が制御してもよい。
ＣＰＵ２０１がメモリ２０２等に記憶されているプログラムに基づき処理を実行することによって、後述するソフトウェア構成及びフローチャートに係る処理が実現される。
【００１４】
図３は、画像処理装置のソフトウェア構成の一例を示す図である。
コピーによる印刷について説明する。スキャナ２０８は、圧板やシート原稿読取装置（ＡＤＦ）を備える。利用者が、圧板やＡＤＦに原稿を置いて、操作部２０３にある原稿読取開始ボタンが押されると、スキャナ２０８は、圧板やＡＤＦに置かれた原稿を光学的に読み取る。複数ページの原稿を読み取る場合、スキャナ２０８は、圧板であれば原稿を入れ替えてながら読取りをしたり、ＡＤＦであればＡＤＦにセットされた原稿を順次読取りをしたりする。このとき、利用者は、操作部２０３において、用紙に対する面付、ステイプル等フィニッシャの設定や濃度等の画質設定等の出力に関する印刷設定を指定することができる。
【００１５】
操作制御部３０１は、操作部２０３に当該操作に必要な画面や情報を表示したり、操作部２０３から利用者が操作した情報を受け取ったりして、どの操作が指示されたかを判断する。利用者がコピーによる印刷を要求したときは、操作制御部３０１が、コピー印刷に必要な画面を生成して、操作部２０３に表示するように指示を行う。利用者は、操作部２０３にコピー印刷のための画面が表示されるので、圧板やＡＤＦに原稿をセットして、コピーの指示を行う。このとき、利用者は、前述した印刷設定の指示も同時に行ってもよい。コピーの指示は、操作部２０３から操作制御部３０１へ渡される。操作制御部３０１は、コピー指示であったので、コピー制御部３０５へ制御を移す。コピー制御部３０５では、まず原稿を読み取る必要があるため、画像読取制御部３０２へ原稿読取りを指示する。画像読取制御部３０２は、スキャナ２０８を制御して、圧板やＡＤＦから原稿を読み取る。なお、圧板で原稿を入れ替える場合は、コピー制御部３０５から操作制御部３０１へ制御を戻し、再度、操作部２０３に次の原稿読取りか、印刷を開始するかの選択画面を表示する。読取ったデータは、記憶制御部３０４によって、メモリ２０２、或いはＤＩＳＫ２１１に格納される。なお、メモリ２０２、ＤＩＳＫ２１１の何れに格納されるかは、例えば、データサイズや高速処理が要求されるか否か等の要因によって、画像読取制御部３０２が決定する。
【００１６】
次に、コピー制御部３０５では、読取ったデータを出力する必要があるため、画像出力制御部３０３に対して、記憶制御部３０４で格納されている読取った画像を印刷するように指示が行われる。画像出力制御部３０３では、記憶制御部３０４でメモリ２０２やＤＩＳＫ２１１に格納されたデータに、利用者が指定した印刷設定で画像処理を施すように、画像処理部３０８に指示を出す。画像処理とは、例えば、２枚の原稿を１枚の用紙に面付する（２ｉｎ１）等出力画像に対する編集のことである。画像処理部３０８は、出力向けの画像編集が完了すると、編集後の画像データを記憶制御部３０４に格納する。画像出力制御部３０３は、画像処理を施した結果について記憶制御部３０４を用いて、メモリ２０２やＤＩＳＫ２１１から読出して、プリンタ２０６へ送る。プリンタ２０６では、送られたデータを順次用紙に印刷して出力を行う。
【００１７】
次に認証を実施する認証部３０７について説明する。
利用者が画像処理装置を利用するために、認証を行うことが可能である。これは、例えば、操作部２０３にユーザ名、パスワードを利用者に入力させる画面を表示して利用者に入力さる。入力処理が実行されると、操作部２０３にそれぞれ入力されたユーザ名、パスワードが、認証部３０７に送られる。認証部３０７は、画像処理装置の記憶部に格納されたユーザデータベース内で、ユーザ名、パスワードが一致するものがあるかを照合して、利用者の認証を実施する。なお、認証は、この限りでなく、非接触型のＩＣカード等他の認証方法でもよい。更には、ローカルに認証情報を持つのでなく、例えば、ＡｃｔｖｅＤｉｒｅｃｔｏｒｙの等のように、外部の認証サーバによって認証を実施する形態でもよい。このような場合は、認証部３０７は、外部の認証サーバに問い合わせを実施する。
【００１８】
図４は、操作部２０３の一例を示す図である。液晶表示部４０１は、液晶上にタッチパネルシートが貼られており、システムの操作画面及びソフトキーを表示すると共に、表示してあるキーが押されるとその位置情報をＣＰＵ２０１に伝える。
スタートキー４０２は原稿画像の読み取り動作を開始する時等に用いられる。スタートキー４０２の中央部には、緑と赤との２色ＬＥＤ４０３があり、その色によってスタートキー４０２が使える状態にあるかどうかを示す。ストップキー４０４は稼働中の動作を止める働きをする。
テンキー４０５は数字と文字とのボタン群で構成されており、コピー部数の設定や、液晶表示部４０１の画面切り替えを指示する。ユーザモードキー４０６は機器設定を行うときに押下される。
【００１９】
図５は、オートクリア機能について説明するための図である。
画像処理装置は、起動時に操作部２０３の液晶表示部４０１に、初期画面５００を表示する。後述のとおりオートクリア後にも画像処理装置は、初期画面５００を表示する。初期画面５００には、各ファンクションを選択するボタン（５０１、５０２、５０３）が表示され、各ボタンが押下されると、選択されたファンクションの操作画面（５１０、５２０、５３０）に遷移する。ここで、ファンクションとは機能（又は機能に係るアプリケーション）のことをいう。
各ファンクション画面は更にそのファンクションを実行するための各種詳細設定を行うための画面を呼び出すことができる。
【００２０】
以下図６及び図７を用いて説明する。
ＣＯＰＹファンクションは、ＣＯＰＹファンクションを実施する上で必要な設定を、複数の設定画面、ＣＯＰＹ設定画面１（６０１）、ＣＯＰＹ設定画面１（６０２）及びＣＯＰＹ設定画面３（６０３）を用いて入力可能としている。場合によっては、各画面間の遷移も可能である。ＣＯＰＹの場合、表示画面は何れの画面であっても操作部２０３のスタートキー４０２の押下を検知してジョブが開始される。ジョブ完了後も、液晶表示部４０１の表示内容はそのまま保持されている。
操作部２０３に対する操作が一定時間以上、検出できない場合、画像処理装置は、現在表示されている画面での設定状態を初期化し、自動的に初期画面５００に遷移させる（図７の矢印が画面遷移を表す）。この初期画面に遷移する機能がオートクリア機能である。
【００２１】
図８は、画像処理装置の設定を再現する処理についてのフローチャートである。
Ｓ８０１において、認証部３０７は、利用者の認証を実施する。
認証が成功して、利用者がログインすると認証部３０７は、処理をＳ８０２へと進める。
Ｓ８０２において、操作制御部３０１は、図５で示した初期画面５００を表示する。
Ｓ８０３において、操作制御部３０１は、アプリケーション画面の表示指示があったか否か判断する。指示があったと判断した場合、操作制御部３０１は、処理をＳ８０４に進める。
Ｓ８０４において、操作制御部３０１は、記憶制御部３０４にＳ８０１でログインしたユーザのユーザ識別子に合致する再現情報が存在するか否か確認する。存在する場合、操作制御部３０１は、Ｓ８０３で指示された表示アプリケーションに対する再現情報が存在するか否かを判断する。操作制御部３０１は、再現情報が存在する場合はＳ８０５に処理を進め、存在しない場合はＳ８０６に処理を進める。
【００２２】
Ｓ８０５において操作制御部３０１は、Ｓ８０４の再現情報を記憶制御部３０４から読み出し、前回の設定をＳ８０３で指示されたアプリケーション画面上に再現する。これにより、前回使用していた画面をユーザが指示することなく自動的に再現できることになる。
一方、Ｓ８０６において、Ｓ８０４で再現情報が存在しないと判断されたため、操作制御部３０１は、Ｓ８０３で指示されたアプリケーション画面を初期設定で表示する。
つまり、本実施形態において、画像処理装置は、アプリケーション画面に関して、後述する図１０に示すように、例えば、アプリケーションの終了時や印刷の終了時等に、使用していた画面を再び表示するための情報を再現情報として記憶制御部３０４に記憶する。例えば、画像処理装置は、アプリケーションを識別する識別情報と、再現情報と、を関連付けて記憶する。つまり、画像処理装置は、アプリケーション毎にアプリケーションに係る再現情報を保存する。そして、画像処理装置は、再現情報に基づき画面を再現する際は、指定されているアプリケーションの識別情報に基づき、関連する再現情報を取得し、設定されている設定情報を復帰等させ、画面を再現する。
【００２３】
図９は、レジューム機能とオートクリア機能との切り替え設定について説明するための図である。
画像処理装置は、操作部２０３のユーザモードキー４０６の押下を検出すると、設定登録画面９１０を表示する。設定登録画面９１０は、ファンクションに依存しないデバイスの設定や、各ファンクション内でのデフォルトの設定を登録する画面である。この画面には設定登録で設定可能な項目がリスト表示され、その一つとして項目として、レジューム機能の項目９２０が表示される。この項目が選択されたことを検知すると、画像処理装置は、レジューム機能設定の画面９００を表示する。画像処理装置は、レジューム機能を使用する設定の状態（ＯＮ／ＯＦＦ）を反映して表示する。図の例ではＯＮ９０１が設定されている場合を示し、反転表示或いはカラーを変えた強調表示で表示され、ＯＦＦ９０２は通常の状態（非反転状態或いは非強調表示）で表示される。設定されていない項目が選択されると、表示形態が反転する。ＯＫボタン９０４の押下を検知した場合、画像処理装置は、設定内容を反映する。ＣＡＮＣＥＬボタン９０３の押下を検知した場合、画像処理装置は、設定内容を反映せずに、画面９００をクローズし、設定登録画面９１０に戻る。
【００２４】
図１０は、レジューム機能とオートクリア機能との切り替え設定をされた場合の情報処理の一例を示すフローチャートである。
初期画面以外の何れかの画面が表示されているときに、ステップＳ１０００からの処理が開始される。
ステップＳ１００１で、画像処理装置は、画面９００で設定されたレジューム機能の有効化のＯＮ／ＯＦＦ状態（Ｓ１００１ではレジュームＳＷと表記）を取得する。
レジューム機能がＯＦＦであれば（Ｓ１００１においてＯＦＦ）、オートクリア機能が有効となり、画像処理装置は、ステップＳ１００８へ遷移する。ステップＳ１００８において、画像処理装置は、オートクリア条件に達したかどうかを判断し、オートクリア条件に達した場合（Ｓ１００８においてＹＥＳ）、ステップＳ１００９に遷移する。オートクリア条件とは、例えば、予め定められた一定時間操作が行われない、アプリケーションの切り替えが行われた、ユーザが変わった等の条件である。
ステップＳ１００９において、画像処理装置は、表示画面を初期化し、初期画面に遷移する。そして、画像処理装置は、図１０に示す処理を終了する（ステップＳ１００７）。
【００２５】
レジューム機能がＯＮであれば（Ｓ１００１においてＯＮ）、画像処理装置は、ステップＳ１００２において、前回記憶していた設定に係る再現情報が存在しているかどうかを判断する。再現情報が存在していた場合（Ｓ１００２においてＹＥＳ）、画像処理装置は、ステップＳ１００３において、記憶していた再現情報を読み込み、前回の設定を再現した画面に遷移する。存在していない場合（Ｓ１００２においてＮＯ）、画像処理装置は、ステップＳ１００４において、初期画面に遷移する。その後は通常通りの処理となる。
次に、ステップＳ１００５において、画像処理装置は、レジューム機能の条件に達したか否かを判定する。ここで、レジューム機能の条件とは、例えば、表示されている画面に係るアプリケーションが終了した等である。例えば、レジューム機能の条件は、適宜、ＤＩＳＫ２１１等の設定ファイルに設定することが可能なように構成してもよい。そして、画像処理装置は、ステップＳ１００５において、この設定ファイルに記載の条件を満たしているか否かに基づき、判定を行う様にしてもよい。レジューム機能の条件に達したと判定した場合（ステップＳ１００５においてＹＥＳ）、画像処理装置は、ステップＳ１００６に進む。一方、レジューム機能の条件に達していないと判定した場合（ステップＳ１００５においてＮＯ）、画像処理装置は、ステップＳ１００５の処理を繰り返す。
ステップＳ１００６において、画像処理装置は、レジューム機能のための設定情報である再現情報を記憶する。上述したように、例えば、画像処理装置は、再現情報を、アプリケーションを識別する識別情報と関連付けて記憶（又は保存）する。そして、画像処理装置は、図１０に示す処理を終了する（ステップＳ１００７）。
【００２６】
＜実施形態２＞
実施形態１では、レジューム機能とオートクリア機能との切り替え設定をファンクションに関係なく、設定するようになっていたが、実施形態２では、ファンクション単位にレジューム機能とオートクリア機能との切り替え設定を可能とする。図９及び図１１を用いて説明する。
操作部２０３のユーザモードキー４０６の押下を検出すると、画像処理装置は、設定登録画面９１０を表示する。この画面にリスト表示されるレジューム機能の項目９２０が選択されたことを検知したら、画像処理装置は、レジューム機能設定の画面１１００を表示する。本実施形態によれば、ＣＯＰＹファンクション１１０１、ＳＥＮＤファンクション１１０２、ＢＯＸファンクション１１０３のそれぞれでレジューム機能の有効・無効を選択して設定することができる。
また、実施形態１の図９、実施形態２の図１１において、レジューム機能の有効・無効化設定として説明を行っているが、オートクリア機能の有効・無効化としてもよい。設定によりレジューム機能とオートクリア機能とが排他的になっていれば、上述した効果と同様の効果を奏する。
【００２７】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００２８】
以上、上述した各実施形態によれば、レジューム機能とオートクリア機能との双方の機能を排他的に有効化できるようにすることができる。
【００２９】
以上、本発明の好ましい実施形態について詳述したが、本発明は係る特定の実施形態に限定されるものではなく、特許請求の範囲に記載された本発明の要旨の範囲内において、種々の変形・変更が可能である。
【図１】
2014236417.tif 000003
【図２】
2014236417.tif 000004
【図３】
2014236417.tif 000005
【図４】
2014236417.tif 000006
【図５】
2014236417.tif 000007
【図６】
2014236417.tif 000008
【図７】
2014236417.tif 000009
【図８】
2014236417.tif 000010
【図９】
2014236417.tif 000011
【図１０】
2014236417.tif 000012
【図１１】
2014236417.tif 000013